(57)【要約】      （修正有）【課題】見て聞いて楽しむ風鈴を室内でも風がなくても楽しめるように見るほうに重点を持った構造の光学風鈴を提供する。【解決手段】周面に絵柄を有する風鈴本体１の内部に、外周面がミラー面である透明材料よりなるコップ状の多角柱体または多角錐体２を収納して、その底部中心部を風鈴の吊り紐４に取り付けると共に、吊り紐の下部に風鈴の打ち棒及び風により揺れる短冊５を取り付けてなることを特徴とする。【選択図】図１
0003194075.tif 000002
【実用新案登録請求の範囲】
【請求項１】
風鈴本体内部にミラー面を持った多角形の角柱又は多角形の角錐状の枠体を風鈴の短冊を吊るしている紐に固定した光学風鈴。そして、その多角形の外周面がミラー面となっていることを特長としている
【請求項２】
多角形の角柱又は角錐状の枠体の上面に絵が描かれているか絵柄シールが貼られていることを特徴とする光学風鈴
【考案の詳細な説明】
【技術分野】
【０００１】
本発明はミラーの反射を利用して、ミラー面の形状を多角形にすることで絵柄となる物体に対して反射した像と一緒に見るとダブって見えたり、1つの絵柄に対し、いくつかの反射像が見えるようにしたものである
【背景技術】
【０００２】
反射像を見るものとして、万華鏡がある。万華鏡はミラー面を多角柱で構成し、1つの絵柄（物体）を何回も反射させ出来た多くの像を見て楽しむものである。この多くの反射像が見えるように風鈴に応用してみる
【０００３】
万華鏡は像をみるのはミラー面内側を覗き込んでみるのが一般的であるが、風鈴は少し離れたところから見る場合が多く、ミラー面を外側面として多くの像を作り出す必要があった
【０００４】
風鈴にミラー面を応用したとき、物体となる絵柄と像となるミラー面を相対的に動かしてみると、動きのある像を見ることが出来るようで風鈴本体に対するミラー面の形状と配置の検討が必要となった
【先行技術文献】
【特許文献】
【０００５】
【特許文献１】特開２００１−２０９３８６３号公報
【特許文献２】実用新案登録第３１２１１３０号公報
【考案の概要】
【考案が解決しようとする課題】
【０００６】
風鈴を少し離れた所から見たとき、風鈴本体外周にある物体すなわち絵柄をミラー面に写し出した像を見て立体的に、また動きのある像として見えるよう、ミラー面形状の風鈴本体に対する配置を決める必要がある
【課題を解決するための手段】
【０００７】
ミラー面の形状を多角形の角柱又は角錐とし、この枠体をミラー本体と称し、風鈴本体内部の中央に配置することで、風鈴本体外周に書かれた絵柄をミラー面の像で立体的に、また、数個の同じ像をみることを特徴としている
【考案の効果】
【０００８】
本発明の多角柱または多角錐のミラー本体を風鈴本体の中央にある紐に固定することで、同じ紐に個体されている短冊が風によって揺れることでミラー本体も揺れ、風鈴本体外周に描かれた絵柄をミラー面の反射像で見ると、1つの絵柄に対していくつかの像が立体的に揺れてみることができる
【図面の簡単な説明】
【０００９】
【図１】本発明の光学風鈴全体の平面図
【図２】ミラー本体を示した平面図
【考案を実施するための形態】
【００１０】
多角柱または多角錐のミラー本体を風鈴本体中央にある紐    に、図に示す風鈴本体外周に描かれた絵柄がミラー本体のミラ  ー面に目的とする反射像を作ることができる
【実施例１】
【００１１】
図 １は本発明の風鈴本体に対して、ミラー本体の位置を示した  平面図で、１は風鈴本体。２はミラー本体。３は風鈴の音を出す打ち棒。４は風鈴本体を吊るしている紐で、風鈴本体の中央に位置し、ミラー本体、打ち棒、短冊を固定している。５は風で揺れるようにした短冊  
【００１２】
ミラー本体２は図示するように風鈴本体１のほぼ中央に紐によって固定され、短冊5が風によって揺れると同時に動くように配置されている。また絵柄は風鈴本体１の外周６にミラー本体2のミラー面に相対する位置にあるようにする
【００１３】
この相対する位置によって、風鈴本体１の外周６にある絵柄はミラー本体２のミラー面まで距離があるため、絵柄を正面から少しずらして反射像を同時に見ると立体的に見える。また、ミラー本体が多角形になっているのでおなじえがらの反射像がいくつか見えるようになる  
【００１４】
風によって短冊が揺れることでミラー本体も揺れるのでミラー面の反射像が動くように見える。この動きから、風鈴本体の絵柄は動きのある動物などが最適である
【実施例２】
【００１５】
図２は本発明のポイントであるミラー本体の形状平面図を示している。基本形状としては多角柱または多角錐の肉厚がほぼ1mmの透明材料でできた逆コップ状の枠体である
【００１６】
多角柱または多角錐の面数をいくつにするかは大きな要因ではないが、風鈴本体１を横から見たとき程よい大きさの像が２〜３こ見えるのが望ましい。風鈴本体の外径がφ９０〜φ１００で7角形のミラー本体がよさそうである
【００１７】
ミラー本体２の外周７がミラー面になっており、ミラー本体の上面８はとうめいのままとする
【００１８】
ミラー本体２の上面８に絵柄を描くとミラー面７に数回反射して、下から覗くと万華鏡と同じように像がきれいに見ることができる
【産業上の利用可能性】
【００１９】
もともと、従来からある風鈴は絵柄を見ることと、音を聞くことで癒しを感じるものである。本発明は見ることに更なるインパクトを与えようとしている。よって、同じ構造で２〜３倍の大きさのものを作ると短冊に宣伝文などを書くことで商業的なものへと活用が可能と思われる
【符号の説明】
【００２０】
１    風鈴本体
２    ミラー本体
３    打ち棒
４    紐
５    短冊
６    風鈴本体外周
７    ミラー本体外周
８    ミラー本体上面
【図１】
0003194075.tif 000003
【図２】
0003194075.tif 000004
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
周面に絵柄を有する風鈴本体の内部に、外周面がミラー面である透明材料よりなるコップ状の多角柱体または多角錐体を収納して、その底部中心部を前記風鈴の吊り紐に取り付けると共に、前記吊り紐の下部に前記風鈴の打ち棒及び風により揺れる短冊を取り付けてなる光学風鈴。
【請求項２】
前記多角柱体または多角錐体の横断面形状が正六角形である、請求項１に記載の光学風鈴。
【請求項３】
前記多角柱体または多角錐体の横断面形状が七角形である、請求項１に記載の光学風鈴。
【請求項４】
前記多角柱体または多角錐体の底部は透明で表面に絵が描かれているか絵柄シールがはられている、請求項１乃至３の何れかに記載の光学風鈴。
【手続補正２】
【補正対象書類名】明細書
【補正対象項目名】０００１
【補正方法】変更
【補正の内容】
【０００１】  本考案は、ミラーの反射を利用して、ミラー面の形状を多角形にすることで絵柄となる物体に対して反射した像と一緒に見るとダブつて見えたり、１つの絵柄に対し、いくつかの反射像が見えるようにした、光学風鈴に関する。
【手続補正３】
【補正対象書類名】明細書
【補正対象項目名】０００２
【補正方法】変更
【補正の内容】
【０００２】  反射像を見るものとして、万華鏡がある。万華鏡はミラー面を多角柱で構成し、１つの絵柄（物体）を何回も反射させ、出来た多くの像を見て楽しむものである。この多くの反射像が見えるように風鈴に応用してみる。
【手続補正４】
【補正対象書類名】明細書
【補正対象項目名】０００３
【補正方法】変更
【補正の内容】
【０００３】  万華鏡は、像をみる場合ミラー面内側を覗き込んでみるのが一般的であるが、風鈴は少し離れたところから見る場合が多く、ミラー面を外側面として多くの像を作り出す必要があった。
【手続補正５】
【補正対象書類名】明細書
【補正対象項目名】０００４
【補正方法】変更
【補正の内容】
【０００４】  風鈴にミラー面を応用したとき、物体となる絵柄と像となるミラー面を相対的に動かしてみると、動きのある像を見ることが出来るようで風鈴本体に対するミラー面の形状と配置に検討が必要となった。
【手続補正６】
【補正対象書類名】明細書
【補正対象項目名】０００６
【補正方法】変更
【補正の内容】
【０００６】風鈴を少し離れた所から見たとき、風鈴本体外周にある物体すなわち絵柄をミラー面に写し出した像を見て立体的に、また動きのある像として見えるよう、ミラー面形状の風鈴本体に対する配置を決める必要がある。
【手続補正７】
【補正対象書類名】明細書
【補正対象項目名】０００７
【補正方法】変更
【補正の内容】
【０００７】  ミラー面の形状を多角形の角柱又は角錐とし、この枠体をミラー本体と称し、風鈴本体内部の中央に配置することで、風鈴本体外周に書かれた絵柄をミラー面の像で立体的に、また、数個の同じ像をみることを特徴としている。
【手続補正８】
【補正対象書類名】明細書
【補正対象項目名】０００８
【補正方法】変更
【補正の内容】
【０００８】  本考案の多角柱または多角錐のミラー本体を風鈴本体の中央にある紐に固定することで、同じ紐に固定されている短冊が風によって揺れることでミラー本体も揺れ、風鈴本体外周に描かれた絵柄をミラー面の反射像で見ると、１つの絵柄に対していくつかの像が立体的に揺れてみることができる。
【手続補正９】
【補正対象書類名】明細書
【補正対象項目名】０００９
【補正方法】変更
【補正の内容】
【０００９】
【図１】本考案の光学風鈴全体の平面図である。
【図２】ミラー本体を示した平面図である。
【手続補正１０】
【補正対象書類名】明細書
【補正対象項目名】００１０
【補正方法】変更
【補正の内容】
【００１０】  多角柱または多角錐のミラー本体の中心部を風鈴本体中央にある紐に取り付けることにより、図に示す風鈴本体外周面に描かれた絵柄がミラー本体のミラー面に目的とする反射像を作ることができる。
【手続補正１１】
【補正対象書類名】明細書
【補正対象項目名】００１１
【補正方法】変更
【補正の内容】
【００１１】  図１は風鈴本体に対して、ミラー本体の位置を示した平面図で、１は風鈴本体、２はミラー本体、３は風鈴の音を出す打ち棒、４は風鈴本体１を吊るしている紐で、風鈴本体１の中央に位置し、ミラー本体２、打ち棒３、風で揺れるようにした短冊５を固定している。
【手続補正１２】
【補正対象書類名】明細書
【補正対象項目名】００１２
【補正方法】変更
【補正の内容】
【００１２】  ミラー本体２は図示するように風鈴本体１のほぼ中央に紐４によって固定され、短冊５が風によって揺れると同時に動くように配置されている。また絵柄は風鈴本体１の外周６にミラー本体２のミラー面に相対する位置にあるようにする。
【手続補正１３】
【補正対象書類名】明細書
【補正対象項目名】００１３
【補正方法】変更
【補正の内容】
【００１３】  この相対する位置によって、風鈴本体１の外周６にある絵柄はミラー本体２のミラー面まで距離があるため、絵柄を正面から少しずらして反射像を同時に見ると立体的に見える。また、ミラー本体が多角形になっているので同じ絵柄の反射像がいくつか見えるようになる。
【手続補正１４】
【補正対象書類名】明細書
【補正対象項目名】００１４
【補正方法】変更
【補正の内容】
【００１４】  風によって短冊５が揺れることでミラー本体も揺れるので、ミラー面の反射像が動くように見える。この動きから、風鈴本体の絵柄は動きのある動物などが最適である。
【手続補正１５】
【補正対象書類名】明細書
【補正対象項目名】００１５
【補正方法】変更
【補正の内容】
【００１５】  図２は本考案のポイントであるミラー本体の形状平面図を示している。基本形状としては、多角柱または多角錐の肉厚がほぼ１ｍｍの透明材料でできた逆コップ状の枠体である。
【手続補正１６】
【補正対象書類名】明細書
【補正対象項目名】００１６
【補正方法】変更
【補正の内容】
【００１６】  多角柱または多角錐の面数をいくつにするかは大きな要因ではないが、風鈴本体１を横から見たとき程よい大きさの像が２〜３個みえるのが望ましい。風鈴本体の外形がφ９０〜φ１００ｍｍで、７角形のミラー本体がよさそうである。
【手続補正１７】
【補正対象書類名】明細書
【補正対象項目名】００１７
【補正方法】変更
【補正の内容】
【００１７】  ミラー本体２の外周７がミラー面になっており、ミラー本体の上面８は透明のままとする。
【手続補正１８】
【補正対象書類名】明細書
【補正対象項目名】００１８
【補正方法】変更
【補正の内容】
【００１８】  ミラー本体２の上面８に絵柄を描くと外周７のミラー面に数回反射して、下から覗くと万華鏡と同じように像をきれいに見ることができる。
【手続補正１９】
【補正対象書類名】明細書
【補正対象項目名】００１９
【補正方法】変更
【補正の内容】
【００１９】  もともと、従来からある風鈴は絵柄を見ることと、音を聞くことで癒しを感ずるものである。本考案は見ることに更なるインパクトを与えようとしている。よって、同じ構造で２〜３倍の大きさのものを作ると、短冊に宣伝文などを書くことで商業的なものへと活用が可能と思われる。